(57)【特許請求の範囲】
【請求項１】
コンピュータと、画像処理回路を有するとともに前記コンピュータに接続された画像処理装置とを備え、
前記画像処理装置には、前記画像処理回路のバスを前記コンピュータの内部バスに接続可能なバスブリッジが設けられ、
前記コンピュータには、前記画像処理回路のバスとコンピュータのバスが接続されるように、前記バスブリッジを制御するバスブリッジ制御手段と、
前記画像処理回路のバスとコンピュータのバスが接続された状態で、前記バスブリッジを介して画像処理回路を直接設定制御する画像処理制御手段が設けられていることを特徴とする画像処理システム。
【請求項２】
前記画像処理制御手段は、画像処理回路で処理された画像データをコンピュータ側に返送させる請求項１に記載の画像処理システム。
【請求項３】
前記画像処理回路は、機能別に独立した複数の画像処理回路ブロックからなり、前記画像処理制御手段は前記画像処理回路ブロックのうちの１個または２個以上を選択的に使用して画像処理を実行させる請求項１に記載の画像処理システム。
【請求項４】
前記画像処理回路は、機能別に独立した複数の画像処理回路ブロックからなると共に、前記バスブリッジ制御手段は、各画像処理回路ブロックのバスとコンピュータのバスが接続されるように、バスブリッジを制御し、
前記コンピュータには、各画像処理回路ブロックのバスとコンピュータのバスが接続された状態で、各画像処理回路ブロックにそれぞれ独立して選択的にアクセス可能なアクセス手段が設けられている請求項１〜３のいずれかに記載の画像処理システム。
【請求項５】
画像処理回路を有するとともに、コンピュータと接続可能な画像処理装置であって、
前記画像処理回路は、機能別に独立した複数の画像処理回路ブロックからなり、
コンピュータからの指令により、各画像処理回路ブロックのバスをコンピュータの内部バスに接続可能なバスブリッジを備え、
各画像処理回路ブロックのバスと前記コンピュータの内部バスとが接続された状態で、各画像処理回路ブロックはそれぞれ独立して選択的にコンピュータによるアクセスが可能となされている画像処理装置。
【発明の詳細な説明】
【０００１】
【発明の属する技術分野】
この発明は、複写機などの画像処理装置をコンピュータに接続してなる画像処理システム、および画像処理装置に関する。
【０００２】
【従来の技術】
従来、コンピュータに、周辺機器としてのスキャナおよびプリンタを接続して、複写機能を有する画像処理システムを構築したものがある。
【０００３】
このシステムでは、図９に示すように、コンピュータ５００のコンピュータ本体５００Ａに接続されているスキャナ６０１により、原稿画像を読み取り、この読み取り画像データを上記コンピュータ本体５００Ａに転送し、コンピュータ本体５００Ａのアプリケーションソフトを使って画像データの処理を実行し、処理された画像データをプリンタ６０２に転送し、このプリンタ６０２によってプリント出力が実行される。
【０００４】
一方、従来より、特開平９−３１１８３６号公報などに示すように、コンピュータにプリンタやスキャナなどの周辺機器とをバス接続して、コンピュータと周辺機器との間の通信速度を上げるようにした構成が知られている。
【０００５】
【発明が解決しようとする課題】
ところで、上記公知例を含めて従来のものにおいて、コンピュータ５００での画像処理においては、画像データに濃度補正、変倍、エッジ強調などの処理を施す場合、アプリケーションソフトでの処理上の負担が大きく、ハードウェア的に構成された専用の画像処理回路を内蔵した画像処理装置、たとえば複写機などで画像処理を行う場合に較べて、画像処理時間が大幅に長くという問題があった。
【０００６】
この発明は、上記実情に鑑みてなされたものであり、コンピュータで画像処理する場合の処理時間を短縮できる画像処理システムを提供し、さらにはこのシステムに好適に用いることのできる画像処理装置を提供することを課題とする。
【０００７】
【課題を解決するための手段】
前記課題は、コンピュータと、画像処理回路を有するとともに前記コンピュータに接続された画像処理装置とを備え、前記画像処理装置には、前記画像処理回路のバスを前記コンピュータの内部バスに接続可能なバスブリッジが設けられ、前記コンピュータには、前記画像処理回路のバスとコンピュータのバスが接続されるように、前記バスブリッジを制御するバスブリッジ制御手段と、前記画像処理回路のバスとコンピュータのバスが接続された状態で、前記バスブリッジを介して画像処理回路を直接設定制御する画像処理制御手段が設けられていることを特徴とする画像処理システムによって解決される。
【０００８】
この画像処理システムによれば、バスブリッジにより画像処理回路のバスがコンピュータの内部バスに接続されるので、コンピュータはバスブリッジを介して画像処理装置の画像処理回路に直接アクセス可能になる。
【０００９】
このため、コンピュータでの画像処理を画像処理装置の専用の画像処理回路で実行することにより、コンピュータでのアプリケーションソフトによる画像処理に較べて画像処理時間が短縮される。
【００１０】
しかも、コンピュータが画像処理回路を直接設定制御できるので、コンピュータの制御による画像処理を画像処理回路で実行中であっても、画像処理装置におけるＣＰＵに負荷がかからないので、画像処理装置において、画像処理以外の機能を支障なく動作させることができる。
【００１１】
上記の画像処理システムにおいて、前記画像処理制御手段は、画像処理回路で処理された画像データをコンピュータ側に返送させる構成としても良い。このような構成とすることで、画像処理装置による処理済画像データを、例えばコンピュータのモニタに表示して処理具合を確認することができる。
【００１２】
また、前記画像処理回路は、機能別に独立した複数の画像処理回路ブロックからなり、前記画像処理制御手段は前記画像処理回路ブロックのうちの１個または２個以上を選択的に使用して画像処理を実行させる構成としても良い。このような構成とすることで、必要な画像処理回路ブロックのみを用いての画像処理が可能となる。しかも、コンピュータで要求された画像処理回路ブロックの一部が使えない状況下においても、このブロックによる処理をアプリケーションソフトで行うことにより、アプリケーションソフトによる画像処理と装置画像処理回路での画像処理を併用できる。
また、前記画像処理回路は、機能別に独立した複数の画像処理回路ブロックからなると共に、前記バスブリッジ制御手段は、各画像処理回路ブロックのバスとコンピュータのバスが接続されるように、バスブリッジを制御し、前記コンピュータには、各画像処理回路ブロックのバスとコンピュータのバスが接続された状態で、各画像処理回路ブロックにそれぞれ独立して選択的にアクセス可能なアクセス手段が設けられている構成としても良い。
【００１３】
また、前記課題は、画像処理回路を有するとともに、コンピュータと接続可能な画像処理装置であって、前記画像処理回路は、機能別に独立した複数の画像処理回路ブロックからなり、コンピュータからの指令により、各画像処理回路ブロックのバスをコンピュータの内部バスに接続可能なバスブリッジを備え、各画像処理回路ブロックのバスと前記コンピュータの内部バスとが接続された状態で、各画像処理回路ブロックはそれぞれ独立して選択的にコンピュータによるアクセスが可能となされている画像処理装置によっても解決される。
【００１４】
この画像処理装置では、接続されるコンピュータからの指令により、画像処理回路のバスを前記コンピュータの内部バスにバスブリッジにより接続されるから、コンピュータはバスブリッジを介して画像処理回路に直接アクセク可能になる。従って、この画像処理装置にコンピュータを接続することによって、上述した画像処理システムの構築が可能となる。
【００１５】
【発明の実施の形態】
図１は、この発明の一実施形態にかかる画像処理システムを示す概略構成図である。
【００１６】
画像処理システムは、コンピュータ（以下、ＰＣともいう）１と、画像処理装置としての複写機等の画像形成装置２とを備えている。ＰＣ１は、ＰＣ本体１１、モニタ１２およびキーボード１３などからなる。また、画像形成装置２は、スキャナ２１、画像処理回路２２およびプリンタ２３などからなり、ＰＣ本体１１に対してバス接続されている。
【００１７】
前記ＰＣ本体１１と画像形成装置２の具体的構成を図２に示す。
【００１８】
図２において、ＰＣ本体１１は、ＣＰＵ３１、前記モニタ１２に対するグラフィックボード（ビデオカード）３２、ノースブリッジ３３、サウスブリッジ３４、メモリ３５，３６およびＬＡＮカード３７を有する他、コントローラ３８を有している。
【００１９】
なお、前記「ノースブリッジ」とは、マザー・ボードで利用するチップ・セットの構成要素の1つである。PCIバスを採用したシステムにおいて、CPUとPCIバスとを接続するシステム・コントローラ（ホスト・ブリッジ）を指す。ノース・ブリッジにはメイン・メモリーや2次キャッシュ・メモリーのコントローラも内蔵することが多い。また、「サウスブリッジ」とは、マザー・ボードで利用するチップ・セットの構成要素の1つである。PCIバスを採用したシステムにおいて、PCIバスとISA/EISAバスとを接続するシステム・コントローラ（PCI/ISAブリッジ、またはPCI/EISAブリッジ）を指す。ブリッジ機能に加え、DMAコントローラやシステム・タイマー、エンハンストIDEインタフェースなども備えることが多い。また、USBコントローラも内蔵している場合もある。
【００２０】
ＣＰＵ３１は、主に全体を制御する他、ＰＣ１での画像データを画像形成装置２側で画像処理する場合は、コントローラ３８を介して画像形成装置２の画像処理回路２２を制御する。ＣＰＵ３１には、ノースブリッジ３３が接続され、ノースブリッジ３３にサウスブリッジ３４が接続されている。
【００２１】
グラフィックボード３２は、ＡＧＰ（Accelerated Graphics Port）バスに接続されて、処理済の画像データを前記モニタ１２に表示させる。ここで、ＡＧＰバスとはＡＧＰ規格に基づくバスをいう。なお、ＡＧＰとは、米インテル社により、ビデオ・カード専用に考案された拡張バス規格である。もともとＰＣＩバスの約２倍にあたる２５６ＭＢ／秒の転送速度を持っていたが、現在では、倍の５１２ＭＢ／秒に対応する２Ｘ（倍速）モードや、さらにその２倍（約１Ｇ／秒）の４Ｘモードが標準となっている。
【００２２】
メモリ３５，３６は、アプリケーションソフトでの画像処理する際の画像データ、あるいは処理済の画像データ等を格納する。
【００２３】
コントローラ３８は、ＰＣ本体１１内の汎用バス、たとえば、ＰＣＩバス（Peripheral Component Interconnect Bus）に接続されるとともに、外部インタフェース（外部Ｉ／Ｆ）３８ａを介して後述する画像形成装置２のバスブリッジ２７に接続されている。また、コントローラ３８は、ＰＣ１でのアプリケーションソフトによる画像処理の一部もしくは全部を画像処理回路２２で実行させる際には、アプリケーションソフトによるコマンドを前記画像処理回路２２の制御コマンドに変換して発行することにより、ＰＣ１が画像形成装置２のＣＰＵ２４を介することなく、画像処理回路２２に対して直接、アクセス可能に設定されている。さらに、コントローラ３８は、画像形成装置２のバスマスタに対してバス使用要求や画像処理回路２２のレジスタ設定を行う。
【００２４】
ここで、前述の「ＰＣＩバス」とは、米インテルが1992年に提唱した32ビット・バスであり、コンピュータ関連メーカーが参加するPCI SIG（PCI Special Interest Group）において規格が策定されている。33MHzのバス・クロックで動作し、データ転送速度は最大133MB／秒である。PCIはデータ・バスの幅を32ビットにしてデータ転送速度の高速化を図ると同時に、多様なアーキテクチャに対応できるようにブリッジ回路を設けている。例えば、CPUバスとPCIバスの間にブリッジ（ホスト・ブリッジ）を置くことで複数のCPUに対応したり、PCIバスとISA/EISAバスとを接続するブリッジ（PCI/ISAブリッジやPCI/EISAブリッジ）により従来のパーソナルコンピュータ互換アーキテクチャとの互換性を保つことができる。
【００２５】
また、「バス」とは、コンピュータが利用する様々なデバイスの間で信号を送受信するために設けた回路をいい、通常は16ビットや32ビットなど、一定幅のビット数の信号を並行して伝送する。バスの形態や目的により、いくつかの種類に分類できる。まずCPU内でレジスタと演算器などを結ぶ内部バスと、CPUとメモリーや各種インターフェースとを接続する外部バスに分けられる。また、データを格納する場所を示すアドレス・バスと、実際に処理する情報を伝送するデータ・バスにも分けられるほか、同時に伝送できるビット数により、16ビット・バスや32ビット・バスなどに分類することもある。
【００２６】
「システムバス」とは、コンピュータの外部バスの中で、CPUとメイン・メモリー、チップ・セットの間を接続するバスを指す。コンピュータ・システムの基本構成要素を相互に接続するバスであり、そのバス幅とベース・クロックがシステム全体の処理性能に大きく影響する。
【００２７】
また、「バスブリッジ」とは、ＰＣＩ等で実装されたバスの橋渡し的な役割を果たすデバイスである。すなわち、画像処理回路２２内のバスをＰＣ１側のバスであるＰＣＩバスに切り換え変換し、相互にバスサイクルをやりとりする。このバスブリッジにより、ＰＣＩバスと画像処理回路２２内のバスとの互換性が保たれる。
【００２８】
画像形成装置２は、画像データ入力手段としての前記スキャナ２１、プリンタ２３および画像処理回路２２の他に、制御部としてＣＰＵ２４、ＲＡＭ２５、ＲＯＭ２６を備え、さらに、バスブリッジ２７を有している。
【００２９】
ＣＰＵ２４は、画像形成装置２単独での画像処理時には、ＲＯＭ２６に格納されたプログラムに従って画像形成装置２の各部の制御を行う。
【００３０】
上記バスブリッジ２７は、前記画像処理回路２２のバスに接続されており、ＰＣ１のコントーラ３８からの信号を受けた際には、画像処理回路２２のバスをコントローラ３８の制御バスとなる前記ＰＣＩバスに接続するように切替え動作する。
【００３１】
なお、前記画像処理回路２２は、図３に示すように、Ｌｏｇ変換部２２ａ、変倍部２２ｂ、ＭＴＦ補正部２２ｃ、濃度補正部２２ｄおよび２値化部２２ｅなどの画像処理回路ブロックからなる。これら各ブロックは、独立的に動作可能に構成されており、各ブロックが同期してパイプライン処理を行うことも可能である。これらの画像処理回路ブロックは、ハードウェア的に構成されている。具体的には、ＡＳＩＣ（Application Specific Integrated Circuit）によって構成されており、従って各ブロックでの処理速度はソフトウェア的な処理に較べて速いものとなっている。なお、「ＡＳＩＣ」とは特定用途向けICをいい、ユーザーの注文に合わせて論理回路から設計するフルカスタムと、あらかじめチップ上に素子を用意し、ニーズに合わせて配線を変えて対応する「ゲート・アレイ」、論理回路をブロック化して何種類か用意し、用途に合わせて組み合わせる「スタンダード・セル」などのセミカスタムがある。セミカスタムの方が開発時間が短く、開発コストも低く抑えられる。
【００３２】
前記画像処理回路２２は、画像形成装置２のスキャナ２１で読み取られた画像データを処理する際には、該画像形成装置２のＣＰＵ２４により制御されるが、ＰＣ１のアプリケーションソフトによる画像処理を代行する際には、ＰＣ１で使用形態が任意に設定される。
【００３３】
たとえば、ＰＣ１が画像処理回路２２における変倍機能のみを利用したい場合は、変倍部２２ｂのみを使用可能に構成されている。つまり、画像処理回路２２は、一般的に画像形成装置２に特化した構成を採ることが多いが、ＰＣ１で使用形態を任意に設定できることにより、ＰＣ１が要求する画像処理を画像処理回路２２だけでは全て行えない場合には、たとえば、前記変倍処理のみを変倍処理ブロック２２ｂで実行し、その他の処理は、ＰＣ１のアプリケーションソフトにより処理させることが可能となる。
【００３４】
これにより、ＰＣ１のアプリケーションソフトで行う処理については、従来と同じ処理時間がかかるが、画像処理回路２２で行う画像処理については、処理速度は速くなるので、従来のように、全ての画像処理をアプリケーションソフトで実行する場合に比し、画像処理時間を短縮できる。
【００３５】
つぎに、上記構成の画像処理システムにおいて、画像形成装置２による画像処理（コピー）動作を図４のフローチャートを参照して説明する。
【００３６】
原稿を画像形成装置２におけるスキャナ２１にセットすれば、Ｓ１０１では、スキャナ２１により原稿画像の読み取り動作が行われる。Ｓ１０２では、前記スキャナ２１による読み取り画像データをバスブリッジ２７を介して画像処理回路２２に転送する。Ｓ１０３では、スキャナ２１からの画像データに対する処理を画像処理回路２２が順次実行する。Ｓ１０４では、処理された画像データをプリンタ２３に転送し、Ｓ１０５では、プリンタ２３が処理された画像データの印字処理を行う。これにより、前記原稿画像がコピーされる。
【００３７】
つぎに、ＰＣ１での画像処理を画像処理回路２２で実行する際の動作を図５のフローチャートを参照して説明する。
【００３８】
この処理時では、ＰＣ１内のＰＣＩバスに接続されたコントローラ３８は、外部Ｉ／Ｆ３８ａを介して画像形成装置２内のバスブリッジ２７に接続される。バスブリッジ２７は、コントローラ３８からの信号を受けて、画像処理回路２２のバスをコントローラ３８の制御バスであるＰＣＩバスに切替え接続する。この切替え接続により、コントローラ３８は、バスブリッジ２７を経由して直接、画像処理回路２２にアクセスすることが可能となる。また、画像処理回路２２により処理された画像データは、前記バスブリッジ２７を介してコントローラ３８に戻すこともできる。
【００３９】
このような状態において、まず、Ｓ２０１では、スキャナ２１により原稿画像の読み取り動作が行われる。Ｓ２０２では、ＰＣ１におけるＣＰＵ３１が前記スキャナ２１による読取り画像データをバスブリッジ２７およびコントローラを３８介してＰＣ１側に転送する。ついで、Ｓ２０３では、ＰＣ１におけるＣＰＵ３１がコントローラ３８に対して所望の画像処理がなされるように、画像処理コマンド（アプリケーションソフトのコマンド）を発行する。コントローラ３８は、そのアプリケーションソフトのコマンドを画像処理回路２２の制御コマンドに変換して画像処理回路２２のレジスタ設定を行う。
【００４０】
上記制御コマンドによる処理の具体例として、ＰＣ１のアプリケーションソフトにおいて変倍制御を行う場合、アプリケーションソフトでは、倍率を指定する。たとえば、倍率を  ７１％（Ａ３→Ａ４）に設定する。
【００４１】
ＰＣ１のＣＰＵ３１では、コントローラ３８に対して、画像処理を行う画像データとその対象画像の倍率を７１％にするように指示する。コントローラ３８は、画像形成装置２の動作状況を確認し、待機状態であれば、画像形成装置２に対して画像処理回路２２の使用を宣言する。バスブリッジ２７は、画像処理回路２２のバスを画像形成装置２の内部バスからコントローラ３８の制御バスであるＰＣＩバスに切り替える。
【００４２】
つぎに、コントローラ３８は、縮小変倍を行うためのレジスタ設定を行う。この時、画像変倍を設定するレジスタのアドレスやそのレジスタ設定内容は、コントローラ３８の内部で、画像形成装置２に対応した画像処理制御テーブルにより行い、アプリケーションソフトでは、これらの設定は直接行わない。
【００４３】
これらのレジスタ設定完了後、コントローラ３８は、Ｓ２０４で、指定された画像データをコントローラ３８の外部Ｉ／Ｆ３８ａを介して画像処理回路２２の変倍処理ブロック２２ｂに転送する。さらに、画像データの転送に併せて、画像処理を行うための画像処理回路２２の駆動クロックもコントローラ３８から送信する。
【００４４】
このような変倍処理に限らず、濃度補正や２値化など処理を行う場合も同様に、コントローラ３８が画像処理回路２２のレジスタ設定やクロック制御を行う。
【００４５】
そして、Ｓ２０５で、画像データに対して、変倍などの所望の処理を施し、Ｓ２０６で、処理された画像データをプリンタ２３でプリント処理する。
【００４６】
このように、ＰＣ１での画像処理を画像処理回路２２で実行することにより、画像データに濃度補正等を施す場合でも、アプリケーションソフトに負担が軽減されて画像処理時間が短縮される。
【００４７】
しかも、ＰＣ１のコントローラ３８が画像処理回路２２の制御コマンドを発行するので、ＰＣ１のＣＰＵ３１が画像処理回路２２に直接コマンドを発行する手間が省ける。一方、コントローラ３８が画像処理回路２２を直接制御できるので、ＰＣ１での画像処理を画像処理回路２２で実行中であっても、画像形成装置２におけるＣＰＵ２４には負荷がかからず、画像処理以外の機能について画像形成装置２を支障なく動作させることができる。
【００４８】
なお、画像処理回路２２に対するレジスタの設定等は、コントローラ３８ではなくＰＣ１のＣＰＵ３１が行うことも可能である。
【００４９】
つぎに、ＰＣ１での画像処理を画像処理回路２２で実行し、処理済の画像データをＰＣ１に戻す際の動作を図６のフローチャートを参照して説明する。
【００５０】
まず、Ｓ３０１では、スキャナ２１により原稿画像の読み取り動作が行われる。Ｓ３０２では、ＰＣ１におけるＣＰＵ３１が前記スキャナ２１による読り取り画像データをバスブリッジ２７およびコントローラを３８介してＰＣ１側に転送させる。ついで、Ｓ３０３では、ＰＣ１におけるＣＰＵ３１がコントローラ３８に対して所望の画像処理がなされるように、画像処理コマンド（アプリケーションソフトのコマンド）を発行する。コントローラ３８は、そのアプリケーションソフトのコマンドを画像処理回路２２の制御コマンドに変換して画像処理回路２２のレジスタ設定を行う。
【００５１】
上記レジスタ設定後、Ｓ３０４では、ＰＣ１から画像処理回路２２に画像データを転送する。Ｓ３０５では、画像データに対して、変倍などの所望の処理を施し、Ｓ３０６では、ＣＰＵ３１が画像処理回路２２で処理された画像データを、バスブリッジ２７を介してＰＣ１に返送させる。Ｓ３０７では、アプリケーションソフトで前記処理済の画像データを受信し、Ｓ３０８では、ＣＰＵ３１が処理された画像データを前記モニタ１２に表示させるか、あるいは、プリンタ２３に転送してプリント処理させる。
【００５２】
このように、画像処理回路２２で処理された画像データをＰＣ１に返送することにより、処理済の画像データを前記モニタ１２に表示して処理具合を確かめることができる。
【００５３】
なお、上記実施形態では、ＰＣ１と画像形成装置２のバスを接続する構成について説明したが、ＰＣ１にバス接続される画像処理装置としては、図７に示すような画像処理回路２２を内蔵しているスキャナ２１、あるいは、画像処理回路２２を内蔵しているプリンタ２３などであってもよい。図７に示すシステムにおいては、ＰＣ１とプリンタ２３とは通常のインターフェースで接続され、図８に示すシステムにおいては、ＰＣ１とスキャナ２１とは通常のインターフェースで接続されている。
【００５４】
【発明の効果】
請求項１に記載の発明によれば、コンピュータはバスブリッジを介して画像処理装置の画像処理回路に直接アクセク可能になり、このためコンピュータでの画像処理を画像処理装置の専用の画像処理回路で実行することにより、アプリケーションソフトによる画像処理に較べて画像処理時間を短縮することができる。
【００５５】
しかも、コンピュータが画像処理回路を直接制御できるので、コンピュータでの画像処理を画像処理回路で実行中であっても、画像処理装置におけるＣＰＵに負荷がかからないので、画像処理装置において、画像処理以外の機能について支障なく動作させることができる。
【００５６】
請求項２に係る発明によれば、画像処理装置による処理済画像データを、例えばコンピュータのモニタに表示して処理具合を確認することができる。
【００５７】
請求項３に係る発明によれば、必要な画像処理回路ブロックのみを用いての画像処理が可能となる。しかも、コンピュータで要求された画像処理回路ブロックの一部が使えない状況下においても、このブロックによる処理をアプリケーションソフトで行うことにより、アプリケーションソフトによる画像処理と装置画像処理回路での画像処理を併用でき、すべての処理をアプリケーションソフトで実行する場合に比して処理時間が短くなる。
【００５８】
請求項５に係る発明によれば、接続されるコンピュータからの指令により、画像処理回路のバスを前記コンピュータの汎用内部バスにバスブリッジにより接続されるから、コンピュータはバスブリッジを介して画像処理回路に直接アクセク可能になる。その結果、この画像処理装置にコンピュータを接続することによって、上述した画像処理システムの構築が容易に可能となる。
【図面の簡単な説明】
【図１】この発明の一実施形態にかかる画像処理システムの概要を示す構成図である。
【図２】同じく画像処理システムを示すブロック構成図である。
【図３】同じく画像処理システムにおける画像処理回路の具体的構成を示すブロック図である。
【図４】画像処理装置での画像処理の動作を示すフローチャートである。
【図５】コンピュータでの画像処理を画像形成装置における画像処理回路で実行する際の動作を示すフローチャートである。
【図６】コンピュータでの画像処理を画像形成装置における画像処理回路で実行し、処理済の画像データをコンピュータに返送する際の動作を示すフローチャートである。
【図７】別の画像処理システムを概要を示す構成図である。
【図８】さらに別の画像処理システムを概要を示す構成図である。
【図９】従来の画像処理システムの概要を示す構成図である。
【符号の説明】
１・・・・・・・・・コンピュータ
２・・・・・・・・・画像処理装置
２２・・・・・・・・画像処理回路
２７・・・・・・・・バスブリッジ
３８・・・・・・・・コントローラ
【図１】
0004055339.tif 000002
【図２】
0004055339.tif 000003
【図３】
0004055339.tif 000004
【図４】
0004055339.tif 000005
【図５】
0004055339.tif 000006
【図６】
0004055339.tif 000007
【図７】
0004055339.tif 000008
【図８】
0004055339.tif 000009
【図９】
0004055339.tif 000010